(57)【要約】【課題】ＩＰ網においてクレジット通話サービスを提供する装置間の好適な機能配備と連携とを実現する。【解決手段】ＩＰ網に、アプリケーションサーバ（ＡＳ１４）と、メディアサーバ（ＭＳ１５）とが接続されており、利用者端末１０Ａから所定の特番がダイヤルされたときに、ＡＳ１４が起動され、ＡＳ１４は、ＭＳ１５に対して、必要なトーンまたは音声ガイダンスの送出と、利用者端末１０Ａのダイヤルボタン操作によって入力される後続番号の受信とを指示し、ＭＳ１５は、ＡＳ１４からの指示にしたがって、利用者端末１０Ａへのトーンまたは音声ガイダンスの送出と、利用者端末１０Ａからの後続番号の受信とを行い、ＡＳ１４は、ＭＳ１５が受信した後続番号から、通話先の指定を含めた必要な情報を取得して、前記利用者端末１０Ａと指定された通話先端末１０Ｂとの間に料金後払いの通話路を確立させる。【選択図】図２
2011188449.tif 000002
【特許請求の範囲】
【請求項１】
ＩＰ網に接続される利用者端末から発信するときに登録済みの暗証番号を入力することによって、料金後払いの通話を可能とするクレジット通話サービスの提供方法であって、
前記ＩＰ網に、アプリケーションサーバと、メディアサーバとが接続されており、
前記利用者端末から所定の特番がダイヤルされたときに、前記アプリケーションサーバが起動され、
前記アプリケーションサーバは、前記メディアサ−バに対して、サービスの提供に必要なトーンまたは音声ガイダンスの送出と、前記特番に続いて前記利用者端末から送信される後続番号の受信とを指示し、
前記メディアサーバは、前記アプリケーションサーバからの前記指示にしたがって、前記利用者端末へのトーンまたは音声ガイダンスの送出と、前記利用者端末からの前記後続番号の受信とを行い、
前記アプリケーションサーバは、前記メディアサーバが受信した前記後続番号から、サービス契約者の会員番号、暗証番号、および通話先を特定する番号を取得して、前記利用者端末と前記通話先との間に料金後払いの通話路を確立させる
ことを特徴とするクレジット通話サービスの提供方法。
【請求項２】
前記ＩＰ網に接続され、呼接続を行う加入者サーバは、前記所定の特番に対応して起動すべき前記アプリケーションサーバを定義するトランスレータデータを記憶部に保持しており、前記利用者端末から前記所定の特番がダイヤルされたときに、前記トランスレータデータを参照して前記アプリケーションサーバを起動する
ことを特徴とする請求項１に記載のクレジット通話サービスの提供方法。
【請求項３】
前記利用者端末は、ＩＰ変換装置を介してＩＰ網に接続される公衆電話機または加入者電話機であって、
前記ＩＰ変換装置は、前記所定の特番と前記加入者サーバとを対応付けるための定義データを記憶部に保持しており、前記利用者端末から前記所定の特番がダイヤルされたときに、前記定義データを参照して前記加入者サーバに当該特番に対応するサービスへの接続を要求する
ことを特徴とする請求項２に記載のクレジット通話サービスの提供方法。
【請求項４】
ＩＰ網に接続される利用者端末から発信するときに登録済みの暗証番号を入力することによって、料金後払いの通話を可能とするクレジット通話システムであって、
前記ＩＰ網に、アプリケーションサーバと、メディアサーバとが接続され、
前記利用者端末から所定の特番がダイヤルされたときに、前記アプリケーションサーバが起動され、
前記アプリケーションサーバは、前記メディアサ−バに対して、サービスの提供に必要なトーンまたは音声ガイダンスの送出と、前記特番に続いて前記利用者端末から送信される後続番号の受信とを指示し、
前記メディアサーバは、前記アプリケーションサーバからの前記指示にしたがって、前記利用者端末へのトーンまたは音声ガイダンスの送出と、前記利用者端末からの前記後続番号の受信とを行い、
前記アプリケーションサーバは、前記メディアサーバが受信した前記後続番号から、サービス契約者の会員番号、暗証番号、および通話先を特定する番号を取得して、前記利用者端末と前記通話先との間に料金後払いの通話路を確立させる
ことを特徴とするクレジット通話システム。
【請求項５】
前記ＩＰ網に接続され、呼接続を行う加入者サーバは、前記所定の特番に対応して起動すべき前記アプリケーションサーバを定義するトランスレータデータを記憶部に保持しており、前記利用者端末から前記所定の特番がダイヤルされたときに、前記トランスレータデータを参照して前記アプリケーションサーバを起動する
ことを特徴とする請求項４に記載のクレジット通話システム。
【請求項６】
前記利用者端末は、ＩＰ変換装置を介してＩＰ網に接続される公衆電話機または加入者電話機であって、
前記ＩＰ変換装置は、前記所定の特番と前記加入者サーバとを対応付けるための定義データを記憶部に保持しており、前記利用者端末から前記所定の特番がダイヤルされたときに、前記定義データを参照して前記加入者サーバに当該特番に対応するサービスへの接続を要求する
ことを特徴とする請求項５に記載のクレジット通話システム。
【発明の詳細な説明】
【技術分野】
【０００１】
本発明は、既存の公衆電話網で提供されているクレジット通話サービスと同等のサービスを、インターネットプロトコル技術を用いて構築されるＩＰ（Internet Protocol）網で提供するための技術に関する。
【背景技術】
【０００２】
既存の公衆電話網で提供されているクレジット通話サービスは、公衆電話機や一般の加入者電話機から電話したときの通話料金を、指定された電話番号の通話料金に含めて後払いにすることができるサービスである（非特許文献１参照）。また、テレホンカード対応の公衆電話機からの発信に使用できるＮＴＴ（Nippon Telegraph and Telephone）（登録商標）カードＣが発行される。さらに追加のサービス契約により、通話先を限定することが可能となるとともに、公衆電話機からの発信に使用できるＮＴＴカードＣプラスが発行される。
【０００３】
既存の公衆電話網では、クレジット通話サービスの提供に必要な各種の機能が、加入者交換機（ＧＣ（Group Unit Center）とも呼ばれる。）と網サービス制御装置（ＮＳＰ（Network Service Point）とも呼ばれる。）とに配備され、両者の連携によってクレジット通話サービスが実現されていた。
【先行技術文献】
【非特許文献】
【０００４】
【非特許文献１】ＮＴＴコミュニケーションズホームページ、「クレジット通話サービス」、［online］、［平成２２年２月２２日検索］、インターネット＜URL：http://506506.ntt.com/service/credit/＞
【発明の概要】
【発明が解決しようとする課題】
【０００５】
一方、ＩＰ網では、従来の加入者交換機が有していた呼制御機能と音声信号の送受信機能とが、それぞれ別の装置に配備される。したがって、従来は音声信号によってやり取りされていた会員番号、暗証番号、通話先電話番号などを入力したり、音声ガイダンスなどを出力するためには、装置間の適切な機能配備と連携とが必要となる。しかしながら、具体的にどの装置にどのような機能を配備し、装置間をどのように連携させるかについての検討がなされていなかった。
【０００６】
そこで、本発明は、ＩＰ網においてクレジット通話サービスを提供する装置間の好適な機能配備と連携とを実現することを課題とする。
【課題を解決するための手段】
【０００７】
前記の課題を解決するための本発明は、ＩＰ網に接続される利用者端末から発信するときに登録済みの暗証番号を入力することによって、料金後払いの通話を可能とするクレジット通話サービスの提供方法であって、前記ＩＰ網に、アプリケーションサーバと、メディアサーバとが接続されており、前記利用者端末から所定の特番がダイヤルされたときに、前記アプリケーションサーバが起動され、前記アプリケーションサーバは、前記メディアサ−バに対して、サービスの提供に必要なトーンまたは音声ガイダンスの送出と、前記特番に続いて前記利用者端末から送信される後続番号の受信とを指示し、前記メディアサーバは、前記アプリケーションサーバからの前記指示にしたがって、前記利用者端末へのトーンまたは音声ガイダンスの送出と、前記利用者端末からの前記後続番号の受信とを行い、前記メディアサーバが受信した前記後続番号から、サービス契約者の会員番号、暗証番号、および通話先を特定する番号を取得して、前記利用者端末と前記通話先との間に料金後払いの通話路を確立させることを特徴とする。
【０００８】
これにより、サービスの提供に必要な音声信号の送受信機能をメディアサーバに集中させた形態で、アプリケーションサーバとメディアサーバとの連携を実現することができる。
【０００９】
また本発明は、前記のクレジット通話サービスの提供方法において、前記ＩＰ網に接続され、呼接続を行う加入者サーバは、前記所定の特番に対応して起動すべき前記アプリケーションサーバを定義するトランスレータデータを記憶部に保持しており、前記利用者端末から前記所定の特番がダイヤルされたときに、前記トランスレータデータを参照して前記アプリケーションサーバを起動することを特徴とする。
【００１０】
これにより、既存の加入者サーバにデータを追加するだけで、クレジット通話サービスの特番がダイヤルされたときにアプリケーションサーバを起動することができる。
【００１１】
また本発明は、前記のクレジット通話サービスの提供方法において、前記利用者端末は、ＩＰ変換装置を介してＩＰ網に接続される公衆電話機または加入者電話機であって、前記ＩＰ変換装置は、前記所定の特番と前記加入者サーバとを対応付けるための定義データを記憶部に保持しており、前記利用者端末から前記所定の特番がダイヤルされたときに、前記定義データを参照して前記加入者サーバに当該特番に対応するサービスへの接続を要求することを特徴とする。
【００１２】
これにより、既存の公衆電話網の電話機に対しても、ＩＰ網によるクレジット通話サービスを提供することができる。
【発明の効果】
【００１３】
本発明によれば、ＩＰ網においてクレジット通話サービスを提供する装置間の好適な機能配備と連携とを実現することができる。
【図面の簡単な説明】
【００１４】
【図１】従来（ＰＳＴＮ）のクレジット通話システムのシステム構成および動作の説明図である。
【図２】実施形態１に係るクレジット通話システムのシステム構成および動作の説明図である。
【図３】実施形態１の各装置間の信号のやり取りを示したシーケンスチャートである。
【図４】実施形態１の各装置間の信号のやり取りを示したシーケンスチャートである。
【図５】実施形態１の各装置間の信号のやり取りを示したシーケンスチャートである。
【図６】実施形態２に係るクレジット通話システムのシステム構成および動作の説明図である。
【図７】実施形態２の各装置間の信号のやり取りを示したシーケンスチャートである。
【図８】実施形態２の各装置間の信号のやり取りを示したシーケンスチャートである。
【図９】実施形態２の各装置間の信号のやり取りを示したシーケンスチャートである。
【発明を実施するための形態】
【００１５】
以下、発明を実施するための形態（以下、「実施形態」という。）について図面を用いて詳細に説明する。
【００１６】
始めに、既存の公衆電話網で提供されている従来のクレジット通話サービスの概要を説明する。クレジット通話サービスとは、公衆電話機や一般の加入者電話機から発信したときの通話料金を、サービス契約者が指定した特定の電話番号の通話料金に含めて後払いにすることができるサービスである。
【００１７】
クレジット通話サービスを利用して発信する場合の基本的な操作手順は、以下のようになっている。
（手順１）クレジット通話サービスの特番“１２１”をダイヤルする。
（手順２）「プッ、プッ、プッ、・・・」という第二ダイヤル音（ＳＤＴ：Second Dial Tone）が聞こえたら“３”（初期ガイダンスあり）を入力するか、“４”（初期ガイダンスなし）に続いて会員番号（１０桁）を入力する。
［以下、“４”（初期ガイダンスなし）が入力された場合について説明する］
（手順３）音声ガイダンス「暗証番号をどうぞ」にしたがい暗証番号（４桁）を入力する。
（手順４）音声ガイダンス「電話番号を押してください」にしたがい通話先電話番号を入力する。
（手順５）呼び出し音に続いて通話先が応答したら通話を開始する。
【００１８】
また、サービスを契約したときに発行されるＮＴＴカードＣまたはＮＴＴカードＣプラスを利用すれば、テレホンカード対応の公衆電話機からの発呼時に特番と会員番号（１０桁）の入力を省略して、以下のような操作手順でサービスを利用することができる。
（手順１）カードをテレホンカードの読み取り口に挿入する。
（手順２）音声ガイダンス「暗証番号をどうぞ」にしたがい暗証番号を入力する。
（手順３）音声ガイダンス「電話番号を押してください」にしたがい通話先電話番号を入力する。
（手順４）呼び出し音に続いて通話先が応答したら通話を開始する。
【００１９】
さらに、オプションの通話先限定サービスを契約すると、予め登録した最大２０個の電話番号だけに通話先を限定することができるとともに、３桁のクイックダイヤル番号入力操作（“＊００”〜“＊１９”のいずれか）によっても通話先を指定することができる。
【００２０】
以下の実施形態では、このクイックダイヤル番号を用いて通話先を指定する場合を例に説明するが、通話先の電話番号を直接入力してもよい。
【００２１】
図１は、既存の公衆電話網（ＰＳＴＮ：Public Switched Telephone Network）におけるクレジット通話システムのシステム構成および動作の説明図である。図１に示すように、従来（ＰＳＴＮ）のクレジット通話システム２は、クレジット通話サービスの利用者が使用する利用者端末２０Ａと、その通話先となる通話先端末２０Ｂと、加入者交換機であるＧＣ（Group Unit Center：群局）２１Ａ，２１Ｂと、中継交換機であるＩＣ（Intermediate Center：区域内中継局）２２Ａ，２２Ｂと、ＺＣ（Zone Center：中継局）２３Ａ，２３Ｂと、共通線網２５を介して網サービスを提供するＮＳＰ（Network Service Point：網サービス制御局）２４とを備えて構成される。なお、この例では、ＧＣ２１がＮＳＰ２４が提供する網サービスの接続点となるので、ＧＣ２１ＡはＳＡＰ（Service Access Point）とも呼ばれる。ＮＳＰ２４とＧＣ（ＳＡＰ）２１Ａとの間の情報配信のための通信（図中の破線矢印）には、Ｎｏ．７共通線信号方式にて規定されているＴＣＡＰ（Transaction Capabilities Application Part）プロトコルが使用される。
【００２２】
図中の吹き出しの中には、動作順序を示す丸付き数字とともに各装置の必要機能（動作）が記されている。以下、この動作順序にしたがって、従来（ＰＳＴＮ）のクレジット通話システム２の動作の概要を説明する。
【００２３】
(1) サービス利用者は、利用者端末２０Ａから、クレジット通話サービスの特番“１２１”をダイヤルする。
(2) ＧＣ（ＳＡＰ）２１Ａは、特番“１２１”を検出し、ＮＳＰ２４へのサービスコード用ＧＴ（Global Title）ルーチングを行い、ＮＳＰ２４にサービスの開始を要求する。
(3) ＮＳＰ２４は、ＧＣ（ＳＡＰ）２１Ａから転送されたクレジット通話コード（“１２１”）により、クレジット通話サービスの制御を開始し、ＧＣ（ＳＡＰ）２１Ａにトーン（ＳＤＴ：第二ダイヤル音）の接続指示と後続数字の受信指示を行う。
(4) ＧＣ（ＳＡＰ）２１Ａは、ＮＳＰ２４からの指示により、利用者端末２０Ａを、トーン・ガイダンスの送出を行う音声応答モジュールＡＲＥ（Audio Reply Equipment）に接続するとともに、ＰＢ（Push Button）信号受信回路ＰＢＲ（Push Button Receiver）を用いて後続数字の受信を行い、受信した後続数字をＮＳＰ２４に転送する。
(5) ＮＳＰ２４は、ＧＣ（ＳＡＰ）２１Ａから転送された後続数字により、必要なガイダンス接続指示、後続数字受信指示または通話先電話番号への接続指示を行う。ＧＣ（ＳＡＰ）２１Ａから転送された後続数字が、クイックダイヤル番号であった場合は、その番号を通話先電話番号に変換して、接続を指示する。
(6) ＧＣ（ＳＡＰ）２１Ａは、ＮＳＰ２４からの接続指示により、指定された通話先電話番号（“Ａ−Ｊ”）への呼のルーチングを行う。
(7) 図中の太線矢印にて示すように、ＩＣ２２Ａ、ＺＣ２３Ａ、ＺＣ２３Ｂ、ＩＣ２２Ｂを経由してＧＣ２１Ｂへの呼接続が行われ、ＧＣ２１Ｂは、通話先端末２０Ｂの着信制御（着信ベル鳴動、オフフック検出、回線接続など）を行い、利用者端末２０Ａと通話先端末２０Ｂとの間の通話路が設定される。
(8) 通話が終了して回線が切断されると、ＧＣ（ＳＡＰ）２１Ａは、ＮＳＰ２４へ課金情報を通知する。
(9) ＮＳＰ２４は、契約された電話番号に通話料金を課金するための契約者側呼情報を生成する。
(10) ＧＣ２１Ａ（ＳＡＰ）は、利用者の通話履歴を記録するための通話料金無料の利用者側呼情報を生成する。
【００２４】
表１は、従来（ＰＳＴＮ）のクレジット通話システム２の機能分担を示したものである。表１の○印にて示すように、ＧＣ（ＳＡＰ）２１Ａには、クレジット通話サービスを起動する機能、利用者端末との間の音声信号の送受信機能（トーン・ガイダンス送出、後続数字受信）、通話先へのルーチング機能、課金機能などの６つの機能が配備される。また、ＮＳＰ２４には、トーン・ガイダンス送出指示など、クレジット通話サービスの動作全般を制御するための各種機能と、契約された電話番号に通話料金を課金するための契約者側呼情報の生成機能との７つの機能が配備される。
【００２５】
【表１】
2011188449.tif 000003
【００２６】
本発明は、これらの機能によって既存の公衆電話網にて提供されているクレジット通話サービスと同等のサービスを、電話網がＩＰ化されたのちにおいても実現しようとするものである。したがって、利用者の利便性を確保するためには、ＩＰ網においても既存の公衆電話機や加入者電話機から従来と同様な操作によってサービスを利用できるようにすることが望ましい。
【００２７】
しかしながら、ＩＰ網では、従来は同一の装置に配備されていた呼制御機能と音声信号の送受信機能とが、それぞれ別の装置に配備されるため、利用者端末との間の音声信号によってやり取りが行われるトーン、ガイダンス、ＰＢ信号などを処理するための新たな機構が必要となる。
【００２８】
そこで本発明では、従来はＮＳＰ２４に配備されていたクレジット通話サービスの動作全般を制御するための各種機能を、ＩＰ網にて付加通信サービスを提供するアプリケーションサーバＡＳ（Application Server）に配備するとともに、従来はＧＣ（ＳＡＰ）２１Ａに配備されていた利用者端末との間の音声信号の送受信機能を、新たに導入するメディアサーバＭＳ（Media Server）に配備し、その両者の連携によってクレジット通話サービスを実現する。
【００２９】
［実施形態１］
図２は、実施形態１に係るクレジット通話システムのシステム構成および動作の説明図である。図１に示すように、実施形態１に係るクレジット通話システム１は、クレジット通話サービスの利用者が使用する利用者端末１０Ａと、その通話先となる通話先端末１０Ｂと、ＩＰ変換装置１１Ａ，１１Ｂと、加入者サーバ１２Ａ，１２Ｂと、中継サーバ１３と、ＡＳ１４と、ＭＳ１５とを備えて構成される。
【００３０】
利用者端末１０Ａは、一般の加入者電話機または公衆電話機である。また、テレホンカードの読取機構を備えた公衆電話機は、ＮＴＴカードＣおよびＮＴＴカードＣプラスの２種類のカードを読み取ることができ、クレジット通話サービスの特番とカードから読み取った会員番号とを、ＰＢ信号によって自動的に送信する。なお、この例では、通話先端末１０ＢはＩＰ網に接続されているが、不図示のゲートウェイ装置を経由して接続される既存の公衆電話網に収容されている加入者電話機などであってもよい。
【００３１】
ＩＰ変換装置１１Ａ，１１Ｂは、既存の公衆電話機や加入者電話機をＩＰ網に接続するための信号変換装置であり、利用者端末１０Ａや通話先端末１０Ｂから送信されるダイヤル信号やアナログの音声信号を呼制御用パケットまたは音声パケットに変換してＩＰ網側に送信し、ＩＰ網側から受信した音声パケットをアナログの音声信号に変換して利用者端末１０Ａや通話先端末１０Ｂに送信する。ＩＰ変換装置１１Ａ，１１Ｂは、電話局内に設置されてもよいし、加入者宅内や公衆電話ボックス内に設置されてもよい。
【００３２】
加入者サーバ１２Ａ，１２Ｂと中継サーバ１３とは、利用者端末１０Ａと通話先端末１０Ｂとの間に通話路を確立するための呼制御機能を司る。この呼制御のためのシグナリングには、例えばＳＩＰ（Session Initiation Protocol）が用いられる。
【００３３】
ＡＳ１４は、ＩＰ網における付加通信サービスを提供するサーバであり、クレジット通話サービスの動作全般を制御するための各種機能は、ＡＳ１４に配備される。
【００３４】
ＭＳ１５は、不図示の音声パケットの送受信機能に加えて、ＤＴＭＦ（Dual Tone Multi Frequency）受信部１６とトーン・ガイダンス送出部１７とを備える。従来のＰＢＲに相当するＤＴＭＦ受信部１６は、音声パケットによって受信した音声信号に含まれるＰＢ信号の中から所定のＤＴＭＦ信号を検出することにより、押されたダイヤルボタンの数字を識別する。トーン・ガイダンス送出部１７は、第二ダイヤル音（ＳＤＴ））などの各種トーンや音声ガイダンスのパターンを半導体メモリなどの記憶部に蓄積しており、ＡＳ１４からの指示にしたがって必要なトーンまたは音声ガイダンスの音声信号を、不図示のＳＤＴ送出部などから接続先の端末に送出する。
【００３５】
図中の吹き出しの中には、各装置に配備される機能項目が記されている。表２にこの実施形態１における各装置の機能分担を示す。表２の○印にて示すように、クレジット通話サービスを起動する機能は、ＩＰ変換装置１１Ａと加入者サーバ１２Ａとに配備され、加入者サーバ１２Ａには、通話先へのルーチング機能も配備される。音声信号の送受信を行うトーン・ガイダンス送出機能と後続数字受信機能とは、ＭＳ１５に配備される。また、ＡＳ１４には、サービス利用者に対して非課金の通話記録を生成する利用者側呼情報生成機能と、従来のＮＳＰ２４と同様なトーン・ガイダンス送出指示など、計８つの機能が配備される。なお、課金機能はＡＳ１４に配備するので、課金情報通知機能は不要である。
【００３６】
【表２】
2011188449.tif 000004
【００３７】
また、表３に実施形態１における各装置のデータ配備を示す。表３の○印にて示すように、ＡＳ１４には、加入者データの区分に属するクレジット通話サービス契約者情報が配備される。このクレジット通話サービス契約者情報には、すべての契約者に対する、通話料金の請求先の電話番号を含む基本契約および付加サービス契約の内容、会員番号、暗証番号、クイックダイヤル登録番号等が含まれる。ＩＰ変換装置１１Ａには、局データの区分に属する特番“１２１”用プリトラ定義データが配備される。このプリトラ定義データは、ダイヤル“１２１”受信（３桁決定）で加入者サーバを起動するために用いられる。また、加入者サーバ１２Ａには、局データの区分に属する特番“１２１”用起動ＡＳ定義データが配備される。この特番“１２１”用起動ＡＳ定義データは、クレジット通話サービス用に起動するＡＳ１４を決定するために用いられる。
【００３８】
【表３】
2011188449.tif 000005
【００３９】
また、図２内の丸付き数字は、装置間で行われる通信の動作順序を示している。以下、この動作順序にしたがって、実施形態１に係るクレジット通話システム１の動作の概要を説明する。
【００４０】
(1) サービス利用者が利用者端末１０Ａからクレジット通話サービスの特番“１２１”をダイヤルすると、ＩＰ変換装置１１Ａは、クレジット通話サービスの起動機能によって、特番“１ｘｙ”をプリトラ（番号翻訳）し、加入者サーバ１２Ａに１２１にてINVITE送信（“１２１”への接続を要求）する。加入者サーバ１２Ａは、クレジット通話サービスの起動機能によって、“１２１”を認識し、その接続要求（INVITE送信）をＡＳ１４に転送することによってＡＳ１４を起動する。
(2) ＡＳ１４は、指定されたサービスコード“１２１”によりクレジット通話サービスの制御を開始し、トーン・ガイダンス送出指示機能および後続数字受信指示機能によって、ＭＳ１５にＳＤＴ（第二ダイヤル音）の送出と後続数字の受信を指示する。
(3) 加入者サーバ１２Ａは、ＡＳ１４の指示にしたがって利用者端末１０ＡとＭＳ１５との間に破線両矢印で示す一時的な通話路（暫定接続中のユーザプレーン）を設定する。
(4) ＭＳ１５は、トーン・ガイダンス送出機能および後続数字受信（ＤＴＭＦ受信）機能によって、ＡＳ１４からの指示にしたがって利用者端末１０Ａに必要なトーンおよび音声ガイダンスを送出し、利用者端末１０Ａから受信したＰＢ信号から後続数字を検出してＡＳ１４に通知する。ＡＳ１４は、ＭＳ１５から通知された後続数字に応じて、会員番号・暗証番号認証を行い、クレジット通話サービスの制御を進める。
(5) ＡＳ１４は、ＭＳ１５から通知された後続数字により通話先が指定されたときには、通話先電話番号の許容判定機能によって、その通話先への接続可否を判定し、接続を許可するときには、接続指示機能によって、加入者サーバ１２Ａに通話先端末１０Ｂへの呼接続を指示する。それにより、加入者サーバ１２Ａの通話先へのルーチング機能によって、中継サーバ１３、加入者サーバ１２Ｂ、ＩＰ変換装置１１Ｂを経由して、通話先端末１０Ｂへの呼接続が行われる。
【００４１】
図３から図５は、図２に示した各装置間の信号のやり取りを示したシーケンスチャートである。以下、これらのシーケンスチャートに沿って、前記の動作の詳細を説明する。なお、図中の吹き出し内の丸付き数字は、前記の動作の概要の各項番に対応している。また、信号名に続く括弧内には、その信号とともに送受信されるパラメータ値を示している。
なお、これらのシーケンスチャートでは、装置間のシグナリングにはＩＰ電話サービスにて用いられることが多いＳＩＰを用いた例を説明するが、他の通信プロトコルを用いてもよい。
【００４２】
図３の先頭で、まずサービス利用者が利用者端末１０Ａをオフフックしたのち、特番“１２１”をダイヤルする。ＩＰ変換装置１１Ａは、特番“１２１”用プリトラ定義データ（表３のＮｏ．２）を参照してこのダイヤル番号をプリトラ（番号翻訳）して加入者サーバ１２ＡにINVITE(121) を送信する。加入者サーバ１２Ａは、特番“１２１”用起動ＡＳ定義データ（表３のＮｏ．３）を参照して起動すべきＡＳを識別し、ＡＳ１４にINVITE(121) を送信する。
【００４３】
次に、ＡＳ１４は、指定されたサービスコード“１２１”によりクレジット通話サービスの制御を開始し、ＭＳ１５にＳＤＴ送出と後続数字の受信を指示するINVITE(SDT送出指示, 数字受信指示) を送信する。このとき、数字受信指示パラメータでは受信すべき数字の終了条件を指定することができ、ここでは、数字“４”に続く１０桁の数字（会員番号）の受信を指示したものとする。
【００４４】
ＭＳ１５の準備が整って200(SDP SDT) （ＯＫを意味する）の応答が返信されると、ＡＳ１４は、加入者サーバ１２ＡにＭＳ１５との接続を指示する183(SDP SDT) を送信する。ここで、パラメータの「ＳＤＰ（Session Description Protocol）」は、セッションを設定すべきことを意味し、続く「ＳＤＴ」は、接続先がＭＳ１５内に備えられる不図示のＳＤＴ送出部であることを意味している。この183(SDP SDT) は、加入者サーバ１２ＡによってＩＰ変換装置１１Ａに再送信され、それによって、ＭＳ１５のＳＤＴ送出部とＩＰ変換装置１１Ａとの間の一時的な通話路（ユーザプレーン）が設定され、ＭＳ１５が送出するＳＤＴが、利用者端末１０Ａに伝達される。
【００４５】
続いて、利用者は、初期ガイダンスなしを選択する指示コード“４”に続いて１０桁の会員番号を入力する。入力された数字に対応するＰＢ信号は、ＩＰ変換装置１１ＡからＲＴＰ（Realtime Transport Protocol）によって音声パケットとしてＭＳ１５に送信され、ＭＳ１５のＤＴＭＦ受信部１６によって受信数字の識別が行われる。ここでは、ＭＳ１５が“４”に続く１０桁の会員番号を受信したものとする。会員番号の受信が終了すると、ＭＳ１５は、受信した計１１桁の数字をINFO(受信数字(4+会員番号)) によってＡＳ１４に通知する。
【００４６】
ＡＳ１４は、クレジット通話サービス契約者情報（表３のＮｏ．１）を参照することにより、ＭＳ１５から通知された“４”に続く１０桁の数字が既登録の会員番号のいずれかに一致することを確認したのち、ＭＳ１５にガイダンスの送出と暗証番号の受信（４桁の数字受信）を指示するINFO(ガイダンス送出指示, 数字受信指示) を送信する。
【００４７】
ＭＳ１５は、ＡＳ１４から指示されたガイダンス（暗証番号をどうぞ）を送出し、利用者が暗証番号を入力すると、前記と同様にそのＰＢ信号がＭＳ１５に送信される。ＭＳ１５は、４桁の暗証番号を受信したのち、INFO(受信数字(暗証番号)) によって受信した４桁の数字をＡＳ１４に通知する。
【００４８】
ＡＳ１４は、クレジット通話サービス契約者情報（表３のＮｏ．１）を参照することにより、ＭＳ１５から通知された４桁の数字が先に入力された会員番号の暗証番号と一致することを確認（認証）したのち、ＭＳ１５にガイダンスの送出と通話先電話番号の受信を指示するINFO(ガイダンス送出指示, 数字受信指示) を送信する。このとき、通話先の電話番号は可変長であるので、数字受信指示パラメータでは可変長電話番号の受信を指示する。
【００４９】
ＭＳ１５は、ＡＳ１４から指示されたガイダンス（電話番号を押してください）を送出する。（以下、図４に続く）
【００５０】
ＭＳ１５は、可変長電話番号の受信が指示された場合は、所定の入力終了判定ロジックによって数字の入力終了を判定し、受信した可変長の電話番号をINFO(受信数字(電話番号)) によってＡＳ１４に通知する。例えば、電話番号の入力終了を意味する“＃”を受信したとき、あるいは、一定時間（例えば３秒）待っても次の数字が受信されないときに、電話番号の入力が終了したものと判定する。ここでは、クイックダイヤル番号が入力されたものとする。
【００５１】
利用者が入力したクイックダイヤル番号が、前記と同様にしてＭＳ１５によって受信されると、ＭＳ１５は、“＊”に続いて２桁の数字を受信した時点で電話番号の入力が終了したものと判定し、INFO(受信数字(*XX)) によって受信した３桁の数字をＡＳ１４に通知する。ＡＳ１４は、クレジット通話サービス契約者情報（表３のＮｏ．１）を参照することにより、ＭＳ１５から通知されたクイックダイヤル番号“＊ＸＸ”を通話先電話番号（Ａ−Ｊ）に変換する。具体的には、先に認証された会員番号に対応する不図示のクイックダイヤル登録番号テーブル（通話を許可する２０個の通話先電話番号がクイックダイヤル番号の順に登録されている）を参照して、クイックダイヤル番号“＊ＸＸ”に該当する通話先電話番号（Ａ−Ｊ）を取得する。
【００５２】
次に、ＡＳ１４は、利用者端末１０ＡとＭＳ１５との間の一時的な通話路を開放するために、加入者サーバ１２ＡにUPDATE(inactive) を送信し、ＭＳ１５にはBYE を送信する。加入者サーバ１２Ａが再送信するUPDATE(inactive) を受信したＩＰ変換装置１１Ａは、利用者端末１０ＡとＭＳ１５との間の一時的な通話路を開放し、未接続の状態となる。また、BYEを受信したＭＳ１５は、利用者端末１０Ａとの間の一時的な通話路を開放したのち、ＡＳ１４に200 を応答して一旦処理を終了する。なお、図４の破線で囲んだように、一旦ＭＳ１５と利用者端末１０Ａとの間の一時的な通話路を開放するのではなく、一時的な通話路を保持するものとしてもよい。
【００５３】
次に、ＡＳ１４は、加入者サーバ１２Ａに、先に取得した通話先電話番号（Ａ−Ｊ）への接続を指示するINVITE(A-J) を送信し、加入者サーバ１２Ａから中継サーバ１３、加入者サーバ１２Ｂを経由してINVITE(A-J) がＩＰ変換装置１１Ｂに伝達され、ＩＰ変換装置１１Ｂによって通話先端末１０Ｂの呼び出し（着信ベル鳴動）が行われる。同時に、呼び出し中であることを示す応答180がＩＰ変換装置１１Ｂから加入者サーバ１２Ｂを介してＡＳ１４に伝達される。
【００５４】
次に、ＡＳ１４は、ＭＳ１５に利用者端末１０ＡへのＲＢＴ（Ring Back Tone）の送出を指示するINVITE(RBT送出指示)を送信し、その準備が整ってＭＳ１５から200(SDP RBT) の応答が返送されたら、加入者サーバ１２ＡにUPDATE(SDP RBT) を送信して利用者端末１０ＡとＭＳ１５がトーン・ガイダンス送出部１７に備える不図示のＲＢＴ送出部との接続を指示する。
【００５５】
加入者サーバ１２Ａから再送信されるUPDATE(SDP RBT)を受信したＩＰ変換装置１１Ａは、未接続状態となっていた利用者端末１０ＡとＭＳ１５との間に再度一時的な通話路（ユーザプレーン）を設定し、これによってＭＳ１５から送出されるＲＢＴが利用者端末１０Ａに伝達される。
【００５６】
続いて、通話先端末１０Ｂで応答操作（オフフック）が行われると、ＩＰ変換装置１１Ｂは加入者サーバ１２Ｂに200(SDP B) （パラメータＢは通話先の応答を意味する）を応答し、これが加入者サーバ１２Ｂを介してＡＳ１４に伝達される。
【００５７】
ＡＳ１４は、加入者サーバ１２Ａに通話先端末へ１０Ｂの接続を指示するUPDATE(SDP B) を送信する。加入者サーバ１２ＡはＩＰ変換装置１１ＡにUPDATE(SDP B) を再送信し、それによってＩＰ変換装置１１Ａは、一時的な通話路の接続先をＭＳ１５から通話先端末１０Ｂに切り換え、それによって利用者端末１０Ａと通話先端末１０Ｂとの通話路の設定が行われる。
【００５８】
これと並行して、ＡＳ１４は、ＭＳ１５にＲＢＴの送出のために設定した一時的な通話路の開放を指示するBYEを送信し、開放が終了したＭＳ１５は、ＡＳ１４に200を応答して処理を終了する。
【００５９】
また、ＡＳ１４は、加入者サーバ１２Ａに、非課金での通話開始を指示する200(非課金) を送信し、これを加入者サーバ１２ＡがＩＰ変換装置１１Ａに再送信することで、利用者端末１０Ａへの課金を行うことなしに通話先端末１０Ｂとの間の通話が可能となる。（以下、図５に続く）
【００６０】
通話が終了して、例えば利用者端末１０Ａがオンフックされると、ＩＰ変換装置１１Ａは、これを検知して加入者サーバ１２ＡにBYE を送信する。このBYE は加入者サーバ１２ＡからＡＳ１４に再送信され、これによってＡＳ１４は、利用者端末１０Ａの非課金の通話履歴を記録するための利用者側呼情報を生成するとともに、指定された電話番号に通話料金を請求するための契約者側呼情報を生成する。
【００６１】
また、BYE はＡＳ１４から加入者サーバ１２Ａ、中継サーバ１３、加入者サーバ１２Ｂを経由して、ＩＰ変換装置１１Ｂにも伝達され、ＩＰ変換装置１１Ｂは通話先端末１０Ｂにビジートーンを送出するとともに、加入者サーバ１２Ｂに200 を応答する。この200 は、加入者サーバ１２ＢからＡＳ１４に伝達され、最後にＡＳ１４が加入者サーバ１２Ａに200 を送信し、これがＩＰ変換装置１１Ａに伝達されて、サービスが終了する。
【００６２】
なお、以上説明したＡＳ１４とＭＳ１５とをまとめて１つの装置として実現してもよく、それぞれを複数の装置に分散して実現してもよい。例えば、ＭＳ１５については単一の装置とし、ＡＳ１４については、その機能をさらに分割して複数の装置で実現することも可能である。また、ＡＳ１４の機能を加入者サーバ１２Ａに配備することにより、１つの加入者サーバに縮退した構成とすることも可能である。
【００６３】
［実施形態２］
図６は、実施形態２に係るクレジット通話システムのシステム構成および動作の説明図である。図６に示すように、実施形態２に係るクレジット通話システム１ａは、実施形態１に係るクレジット通話システム１（図２）のＡＳ１４を、網内ＡＳ１４ｂと、第３者によって設置される網外ＡＳ１４ａとに分割し、ＭＳ１５に代わってやはり第３者によって設置される網外ＭＳ１５ａを備えた構成となっている。他の構成要素は実施形態１と同様であるので、同一の構成要素には同一の符号を付し、重複する説明を省略する。
【００６４】
例えば、網外ＡＳ１４ａには、従来（ＰＳＴＮ）のクレジット通話システム２（図１）におけるＮＳＰ２４と同様な機能を配備し、ＧＣ（ＳＡＰ）２１Ａに配備していた課金関連の機能を網内ＡＳ１４ｂに配備する。また、網外ＭＳ１５ａには、実施形態１のＭＳ１５と同様の機能を配備する。
【００６５】
表４にこの実施形態２における各装置の機能分担の例を示す。表４の○印にて示した機能分担では、実施形態１におけるＡＳ１４の８つの機能（表２）のうち、利用者側呼情報生成機能を除いた７つの機能を網外ＡＳ１４ａに配備し、網外ＡＳ１４ａを起動するためのクレジット通話サービス起動機能と、課金情報通知機能と、利用者側呼情報生成機能との３つを網内ＡＳ１４ｂに配備している。なお、この例では、契約者側呼情報生成機能が網外ＡＳ１４ａに配備されるので、網外ＡＳ１４ａへの課金情報通知機能の配備が必要となっている。なお、表４の△印は、網内ＡＳ１４ｂによる網外ＡＳ１４ａへの信号の中継機能を表している。
【００６６】
【表４】
2011188449.tif 000006
【００６７】
また、表５に実施形態２における各装置のデータ配備を示す。表５の○印にて示したデータ配備は、実施形態１のデータ配備（表３）におけるＡＳ１４のデータを網外ＡＳ１４ａに配備し、網内ＡＳ１４ｂに、網外ＡＳ１４ａを起動するための局データとして、特番“１２１”用起動ＡＳ定義データを追加したものとなっている。
【００６８】
【表５】
2011188449.tif 000007
【００６９】
また、図６内の丸付き数字は、装置間で行われる通信の動作順序を示している。以下、実施形態１に係るクレジット通話システム１の動作と相違する部分に的を絞って、この実施形態２に係るクレジット通話システム１ａの動作を説明する。
【００７０】
(1) サービス利用者が利用者端末１０Ａからクレジット通話サービスの特番“１２１”をダイヤルしたときに加入者サーバ１２Ａから起動されるのは、網内ＡＳ１４ｂとなり、網内ＡＳ１４ｂから網外ＡＳ１４ａが起動される。
(2) 網外ＡＳ１４ａは、指定されたサービスコード“１２１”によりクレジット通話サービスの制御を開始し、網外ＭＳ１５ａへＳＤＴ（第二ダイヤル音）の送出と後続数字の受信を指示する信号を送信するように網内ＡＳ１４ｂに依頼し、網内ＡＳ１４ｂが網外ＡＳ１４ａから依頼された信号を網外ＭＳ１５ａに送信する。
(3) 加入者サーバ１２Ａは、網内ＡＳ１４ｂによって中継された網外ＡＳ１４ａからの指示にしたがって、利用者端末１０Ａと網外ＭＳ１５ａとの間に破線両矢印で示す一時的な通話路（暫定接続中のユーザプレーン）を設定する。
(4) 網内ＡＳ１４ｂによって中継された網外ＡＳ１４ａからの指示にしたがって、網外ＭＳ１５ａから利用者端末１０Ａに必要なトーンおよび音声ガイダンスが送出され、網外ＭＳ１５ａは、利用者端末１０Ａから受信した後続数字を、網内ＡＳ１４ｂを経由して網外ＡＳ１４ａに通知する。網外ＡＳ１４ａは、網外ＭＳ１５ａから通知された後続数字に応じてクレジット通話サービスの制御を進める。
(5) クレジット通話の開始を許可するときには、網外ＡＳ１４ａは、網内ＡＳ１４ｂを経由して加入者サーバ１２Ａに通話先端末１０Ｂへの呼接続を指示する。
【００７１】
以上のように、網内ＡＳ１４ｂが、網外に設置される網外ＡＳ１４ａと網外ＭＳ１５ａとの間の信号を相互に中継するようにすることで、既存のＩＰ網への影響を最小化しつつ、クレジット通話サービスを提供することが可能となる。
【００７２】
図７から図９は、図６に示した各装置間の信号のやり取りを示したシーケンスチャートである。これらのシーケンスチャートは、網外ＡＳ１４ａとの通信を、すべて網内ＡＳ１４ｂが中継して、ＳＩＰではなくＴＣＡＰをベースとしたプロトコル（図中の破線矢印）によって行うことと、利用者側呼情報と契約者側呼情報とが異なるＡＳで生成されることを除いて、図３から図５のシーケンスチャートと同様であるので、個々のシーケンスについての説明は省略する。
【００７３】
因みに、図７から図９内の破線矢印に付した信号名は、図７に参考として記載したＴＣＡＰオペレーションの名称に対応し、信号名の前部に付された「I:」は起動を、「RR:」は成功応答を意味する。
【００７４】
以上にて、本発明の実施形態の説明を終えるが、本発明の実施の態様はこれらに限られるものではなく、本発明の趣旨を逸脱しない範囲で各種の変更が可能である。
【符号の説明】
【００７５】
１，１ａ  クレジット通話システム
２    従来（ＰＳＴＮ）のクレジット通話システム
１０Ａ  利用者端末
１０Ｂ  通話先端末
１１Ａ，１１Ｂ  ＩＰ変換装置
１２Ａ，１２Ｂ  加入者サーバ
１３  中継サーバ
１４  ＡＳ（アプリケーションサーバ）
１４ａ  網外ＡＳ（アプリケーションサーバ）
１４ｂ  網内ＡＳ
１５  ＭＳ（メディアサーバ）
１５ａ  網外ＭＳ（メディアサーバ）
１６  ＤＴＭＦ受信部
１７  トーン・ガイダンス送出部
【図１】
2011188449.tif 000008
【図２】
2011188449.tif 000009
【図３】
2011188449.tif 000010
【図４】
2011188449.tif 000011
【図５】
2011188449.tif 000012
【図６】
2011188449.tif 000013
【図７】
2011188449.tif 000014
【図８】
2011188449.tif 000015
【図９】
2011188449.tif 000016